(57)【要約】【課題】重要時間帯と非重要時間帯とがある商品が適正に発注されているか否かを判断するためのパラメータを提供する。【解決手段】時間帯別商品在庫数ファイル３３によって各商品毎に日々の時間帯別在庫量を管理するとともに、商品情報ファイル３１によって各商品毎に欠品による損失度合いを示す欠品重要度の値を時間帯別に設定する。そして、発注支援演算処理部１１は、発注支援対象の商品を指定する情報が操作部２１から入力されると、その情報により指定される商品の時間帯別在庫量から所定期間内で当該商品が欠品している時間帯を取得し、この取得した所定期間分の欠品時間帯における当該商品の欠品重要度に基づいて欠品係数を算出し、当該商品の欠品係数を表示部２２に出力する。【選択図】    図１
2004341937.tif 000002
【特許請求の範囲】
【請求項１】
各商品毎に日々の時間帯別在庫量を管理する在庫量管理手段と、
各商品毎に欠品による損失度合いを示す欠品重要度の値を時間帯別に設定する欠品重要度設定手段と、
発注支援対象の商品を指定する情報を入力する入力手段と、
この入力手段を介して入力された情報により指定される商品の前記在庫量管理手段によって管理されている時間帯別在庫量から所定期間内で当該商品が欠品している時間帯を取得する欠品時間帯取得手段と、
この欠品時間帯取得手段により取得した所定期間分の欠品時間帯における当該商品の前記欠品重要度設定手段により設定された欠品重要度の値に基づいて欠品係数を算出する欠品係数算出手段と、
この欠品係数算出手段により算出された当該商品の欠品係数を出力する欠品係数出力手段と、
を具備したことを特徴とする発注支援装置。
【請求項２】
各商品毎に日々の販売量を管理する販売量管理手段と、
前記入力手段を介して入力された情報により指定される商品の同一分類に属する全商品の総販売量に対する販売構成比を前記販売量管理手段によって管理されている商品別販売量の情報に基づいて算出する販売構成比算出手段と、
前記欠品係数算出手段により算出された当該商品の欠品係数と前記販売構成比算出手段により算出された当該商品の販売構成比とから当該商品が属する分類での欠品による損失度合いを示す欠品指数を算出する欠品指数算出手段と、
この欠品指数算出手段により算出された当該商品の欠品指数を出力する欠品指数出力手段と、
をさらに具備したことを特徴とする請求項１記載の発注支援装置。
【請求項３】
各商品毎に日々の時間帯別在庫量を管理することが可能なコンピュータを、
各商品毎に欠品による損失度合いを示す欠品重要度の値を時間帯別に設定する欠品重要度設定手段と、
入力部を介して発注支援対象の商品を指定する情報が入力されると、その情報により指定される商品の時間帯別在庫量から所定期間内で当該商品が欠品している時間帯を取得する欠品時間帯取得手段と、
この欠品時間帯取得手段により取得した所定期間分の欠品時間帯における当該商品の前記欠品重要度設定手段により設定された欠品重要度の値に基づいて欠品係数を算出する欠品係数算出手段と、
この欠品係数算出手段により算出された当該商品の欠品係数を出力する欠品係数出力手段と、
して機能させるための発注支援プログラム。
【請求項４】
各商品毎に日々の時間帯別在庫量及び販売量を管理することが可能なコンピュータを、
各商品毎に欠品による損失度合いを示す欠品重要度の値を時間帯別に設定する欠品重要度設定手段と、
入力部を介して発注支援対象の商品を指定する情報が入力されると、その情報により指定される商品の時間帯別在庫量から所定期間内で当該商品が欠品している時間帯を取得する欠品時間帯取得手段と、
前記入力部を介して発注支援対象の商品を指定する情報が入力されると、その情報により指定される商品の同一分類に属する全商品の総販売量に対する販売構成比を商品別販売量の情報に基づいて算出する販売構成比算出手段と、
前記欠品時間帯取得手段により取得した所定期間分の欠品時間帯における当該商品の前記欠品重要度設定手段により設定された欠品重要度の値に基づいて欠品係数を算出する欠品係数算出手段と、
この欠品係数算出手段により算出された当該商品の欠品係数と前記販売構成比算出手段により算出された当該商品の販売構成比とから当該商品が属する分類での欠品による損失度合いを示す欠品指数を算出する欠品指数算出手段と、
この欠品指数算出手段により算出された当該商品の欠品指数を出力する欠品指数出力手段と、
して機能させるための発注支援プログラム。
【発明の詳細な説明】
【０００１】
【発明の属する技術分野】
本発明は、コンビニエンスストア等の各店舗で実施される発注業務を支援する発注支援装置及びコンピュータを当該発注支援装置として機能させるための発注支援プログラムに関する。
【０００２】
【従来の技術】
店舗において客が購入しようとした商品が品切れの状態，いわゆる販売チャンスロスを生じることは、売上げが伸びないばかりでなく客からの信頼を損なうおそれもあるので、各店舗では、できるだけ販売チャンスロスを無くすように商品の仕入れ間隔や仕入れ数を適切に管理して発注することが重要であった。
【０００３】
そこで従来、商品の需要予測，入荷時刻，在庫数を考慮しつつ欠品を生じないような発注数決定パラメータを操作者に提供する発注支援装置があった。（例えば、特許文献１参照）
【０００４】
【特許文献１】
特開平１１−２９６６１１号公報
【０００５】
【発明が解決しようとする課題】
ところで、コンビニエンスストア等で取り扱われているお弁当やおにぎり等の食品は、昼食や夕食の時間帯によく売れるので、この時間帯に欠品すると販売チャンスロスが大きい。ところが、例えば午後２時を過ぎても売れ残っていると、客からこの店は売れ行きが悪いのではないかと思われるおそれがあるので、欠品状態となってもよい場合がある。
【０００６】
このように、商品によっては欠品してはいけない重要時間帯と欠品してもよい非重要時間帯とがあるものもあり、この種の商品はこれらの時間帯を考慮して発注しなければならなかった。
【０００７】
しかしながら、従来の発注支援装置においては、重要時間帯と非重要時間帯とがある商品が適正に発注されているか否かを判断するためのパラメータを操作者に提供することはできなかった。
【０００８】
そこで本発明は、重要時間帯と非重要時間帯とがある商品が適正に発注されているか否かを判断するためのパラメータを操作者に提供することができる発注支援装置及びコンピュータを当該発注支援装置として機能させるための発注支援プログラムを提供しようとするものである。
【０００９】
【課題を解決するための手段】
本発明の発注支援装置は、各商品毎に日々の時間帯別在庫量を管理する在庫量管理手段と、各商品毎に欠品による損失度合いを示す欠品重要度の値を時間帯別に設定する欠品重要度設定手段と、発注支援対象の商品を指定する情報を入力する入力手段とを設ける。そして、入力された情報により指定される商品の時間帯別在庫量から所定期間内で当該商品が欠品している時間帯を取得し、この取得した所定期間分の欠品時間帯における当該商品の欠品重要度の値に基づいて欠品係数を算出し、当該商品の欠品係数を出力するように構成したものである。
【００１０】
【発明の実施の形態】
以下、本発明の実施の形態を図面を用いて説明する。
なお、この実施の形態は、コンビニエンスストア等の店舗において、お弁当やおにぎり等のように欠品してはいけない重要時間帯と欠品してもよい非重要時間帯とがある商品が適正に発注されているか否かを判断するためのパラメータを操作者に提供する発注支援装置について述べる。
【００１１】
図１は本実施の形態における発注支援装置の要部構成を示すブロック図である。この装置は、ＣＰＵ（Ｃｅｎｔｒａｌ  Ｐｒｏｃｅｓｓｉｎｇ  Ｕｎｉｔ），ＲＯＭ（Ｒｅａｄ  Ｏｎｌｙ  Ｍｅｍｏｒｙ），ＲＡＭ（Ｒａｎｄｏｍ  Ａｃｃｅｓｓ  Ｍｅｍｏｒｙ），ＨＤＤ（Ｈａｒｄ  Ｄｉｓｋ  Ｄｒｉｖｅ）装置及び各種インタフェースを具備したコンピュータによって構成しており、発注支援演算処理部１１、プログラム記憶部１２、時間帯別欠品重要度パターンの設定テーブル１３、ワークメモリ１４、入出力インタフェース部１５、ホストインタフェース部１６、ファイル更新処理部１７及びデータファイル記憶部１８の各部を形成している。そして、キーボード，マウス等の操作部２１と、液晶ディスプレイ，ＣＲＴディスプレイ等の表示部２２とを、入出力インタフェース部１５に接続している。また、当該店舗での商品売上げを管理するＰＯＳ（Ｐｏｉｎｔ  Ｏｆ  Ｓａｌｅｓ：販売時点情報管理）システムや商品発注を管理する発注システム等を制御するホストコンピュータを、ＬＡＮ（Ｌｏｃａｌ  Ａｒｅａ  Ｎｅｔｗｏｒｋ）を介してホストインタフェース部１６に接続している。
【００１２】
データファイル記憶部１８は、商品情報ファイル３１、日別商品販売数ファイル３２及び時間帯別商品在庫数ファイル３３の各種データファイルを記憶するもので、ＨＤＤ装置上に形成している。
【００１３】
商品情報ファイル３１は、当該店舗で販売する各商品毎に発注支援業務に必要な情報を記憶するものである。具体的には、図２に示すように、各商品を特定する商品コード別に、その商品名と、その商品が属する商品分類（例えばお弁当，おにぎり，パン，サラダ，惣菜等）を特定する分類コードと、後述する欠品重要度パターンのナンバーと、ステータスとを記憶している。ステータスは、本実施の形態では８ビットのデータとし、その第１ビットｂ１を１日の第１便で入荷する商品か否かを識別するデータ（１：入荷有り，０：入荷無し）とし、第２ビットｂ２を第２便で入荷する商品か否かを識別するデータ（１：入荷有り，０：入荷無し）とし、第３ビットｂ３を第３便で入荷する商品か否かを識別するデータ（１：入荷有り，０：入荷無し）としている。また、第８ビットｂ８をその商品が販売開始から一定期間を経過していない新商品か否かを識別するデータ（１：新商品，０：非新商品）としている。
【００１４】
日別商品販売数ファイル３２は、各商品毎に複数日分の日別販売数を記憶するものである。具体的には、図３に示すように、各商品の商品コード及び分類コードに対応して、直前６０日分の販売数を記憶している。
【００１５】
時間帯別商品在庫数ファイル３３は、各商品毎に日々の時間帯別在庫数を記憶するものである。具体的には、図４に示すように、各商品の商品コードに対応して、日付と、その日の１時間単位の時末在庫数（例えば、０時００分〜０時５９分の時間帯では０時５９分５９秒時点の在庫数）とを記憶している。
【００１６】
設定テーブル１３は、複数パターンの時間帯別欠品重要度の値を記憶するもので、ＲＡＭ上に形成している。具体的には、図５に示すように、午前０時からの２４時間を１時間単位で区分した時間帯１（０時００分〜０時５９分）〜２４（２３時００分〜２３時５９分）毎に、レベル０〜３の範囲で欠品重要度を設定した時間帯別欠品重要度パターンを複数通り記憶可能となっている。欠品重要度は、欠品による損失度合いを示す値であり、数値が大きいほど損失度合いが大きいことを示している。
【００１７】
ワークメモリ１４は、発注支援演算処理部１１が演算処理時にデータを一時的に記憶するために使用するメモリエリアであり、ＲＡＭ上に形成している。特に、この実施の形態では、図６に示すように、時間帯別に欠品重要度及び在庫数とこの欠品重要度と在庫数とから時間帯別に算出される係数を格納する複数の時間帯別演算テーブル４１と、商品販売数合計エリア４２，分類販売数合計エリア４３及び販売構成比エリア４４とを形成している。
【００１８】
ファイル更新処理部１７は、ホストインタフェース部１６を介してホストコンピュータから収集した情報を元に、商品情報ファイル３１，日別商品販売数ファイル３２及び時間帯別商品在庫数ファイル３３の各データを更新するもので、ＣＰＵによって実現されている。
【００１９】
例えばファイル更新処理部１７は、１日の決められた時刻になると、ホストコンピュータから前日の各商品毎の販売点数データを収集し、この収集した情報に基づいて日別商品販売数ファイル３２のデータを更新する。これにより、日別商品販売数ファイル３２では、各商品毎に日々の販売量が管理される。ここに、ファイル更新処理部１７と日別商品販売数ファイル３２とによって、販売量管理手段を構成している。
【００２０】
また、ファイル更新処理部１７は、１日の決められた時刻になると、ホストコンピュータから前日の各商品毎における時間帯別在庫数を収集し、この収集した情報に基づいて時間帯別商品在庫数ファイル３３のデータを更新する。これにより、時間帯別商品在庫数ファイル３３では、各商品毎に日々の時間帯別在庫量が管理される。ここに、ファイル更新処理部１７と時間帯別商品在庫数ファイル３３とによって、在庫量管理手段を構成している。
【００２１】
プログラム記憶部１２は、後述する発注支援プログラムを記憶するもので、ＲＯＭ，ＲＡＭ，ＣＤ−ＲＯＭ（Ｃｏｍｐａｃｔ  Ｄｉｓｃ  Ｒｅａｄ  Ｏｎｌｙ  Ｍｅｍｏｒｙ）等のコンピュータ読取り可能な記憶媒体からなる。
【００２２】
発注支援演算処理部１１は、プログラム記憶部１２に記憶された発注支援プログラムにしたがって図７〜図８の流れ図に示す処理を実行するもので、ＣＰＵによって実現されている。
【００２３】
すなわち発注支援演算処理部１１は、操作部２１の操作により発注支援プログラムが起動されると、パターン設定業務または発注支援業務のいずれか一方の業務が選択されるのを待機する。パターン設定業務は、各商品毎に、その商品が欠品してはいけない重要時間帯と欠品してもよい非重要時間帯とを考慮して、時間帯別欠品重要度を設定する業務である。発注支援業務は、時間帯別欠品重要度が設定されている商品について、適正に発注されているか否かを判断するためのパラメータを取得する業務である。
【００２４】
ＳＴ（ステップ）１として操作部２１の操作によりパターン設定業務が選択されると、発注支援演算処理部１１は、ＳＴ２として設定対象商品を指定する商品コードの入力を受付ける。そして、操作部２１の操作により商品コードが入力されると、発注支援演算処理部１１は、ＳＴ３として商品情報ファイル３１を検索して、入力された商品コードに対応して設定されている商品情報（商品名，分類コード，欠品重要度パターンナンバー，ステータス等）を読込む。そして、商品名及び入荷便情報を表示部２２に表示する。入荷便情報は、ステータスの第１ビットｂ１〜第３ビットｂ３のうちデータ“１”のビットに対応する便ナンバーを表示する。例えば、第１便と第３便で入荷する商品の場合は、第１ビットｂ１と第３ビットｂ３がいずれも“１”になっているので、「入荷便１，３」と表示する。これにより、操作者は、時間帯別欠品重要度を設定する商品が１日２回、第１便と第３便で入荷する商品であることが分かる。
【００２５】
次に、発注支援演算処理部１１は、ＳＴ４として設定テーブル１３に設定されている時間帯別欠品重要度パターンの一覧を表示部２２に表示する。このとき、読込んだ商品情報の欠品重要度パターンナンバーが“０”でない場合には、そのナンバーに対応する時間帯別欠品重要度パターンを特殊表示（例えば白黒反転表示）する。これにより、操作者は、当該商品に対して既に設定されている時間帯別欠品重要度パターンを知り得る。
【００２６】
次に、発注支援演算処理部１１は、時間帯別欠品重要度パターンの一覧の中からいずれか１パターンが選択されるのを待機する。このとき、ＳＴ５として操作部２１の操作により新規パターン作成処理の実行が指令された場合には、発注支援演算処理部１１は、ＳＴ６として新規パターン追加処理を実行する。この処理は、各時間帯１〜２４に対してそれぞれレベル０〜３の範囲で欠品重要度が入力されるのを待機し、操作部２１を介して各時間帯の欠品重要度が全て入力されたならば、同一の時間帯別欠品重要度パターンが設定テーブル１３に登録されているか否かを判断する。そして、登録されていない場合のみ新規のパターンナンバーを発番し、これに対応して入力された時間帯別欠品重要度パターンのデータを設定テーブル１３に追加登録する。しかる後、この新規に登録されたパターンを時間帯別欠品重要度パターンの一覧に追加表示して、その中からいずれか１パターンが選択されるのを待機する。
【００２７】
しかして、ＳＴ７として時間帯別欠品重要度パターンの一覧の中からいずれか１パターンのパターンナンバーが選択されたならば、発注支援演算処理部１１は、ＳＴ８として商品情報ファイル３１における当該商品の商品コードに対応した欠品重要度パターンナンバーを選択されたナンバーに更新して（欠品重要度設定手段）、１商品に対するパターン設定業務の処理を終了する。
【００２８】
一方、ＳＴ９として操作部２１の操作により発注支援業務が選択されると、発注支援演算処理部１１は、図８に具体的に示す発注支援処理を実行する。すなわち発注支援演算処理部１１は、ＳＴ１１として発注支援対象の商品を指定する商品コードの入力を受付ける。そして、操作部２１の操作により商品コードが入力されると、発注支援演算処理部１１は、ＳＴ１２として商品情報ファイル３１を検索して、入力された商品コードに対応して設定されている商品情報（商品名，分類コード，欠品重要度パターンナンバー，ステータス等）を読込む。ここに、操作部２１は、発注支援対象の商品を指定する情報を入力する入力手段を構成する。
【００２９】
次に、発注支援演算処理部１１は、ＳＴ１３として読込んだ商品情報のステータスを調べ、その第８ビットｂ８が“１”か否か、つまり当該商品が新商品か否かを判断する。そして新商品の場合には、ＳＴ１４としてパラメータ算出処理の算出対象期間を予め新商品に対して設定された日数Ｎ１とする。これに対し、新商品でない場合には、ＳＴ１５として同算出対象期間を日数Ｎ１よりも長い所定日数Ｎ２とする。
【００３０】
次に、発注支援演算処理部１１は、ＳＴ１６として当該商品の同一分類内における販売構成比（＝分析期間内商品販売数／分析期間内分類販売数）を算出する。すなわち発注支援演算処理部１１は、日別商品販売数ファイル３２から当該商品のレコードを取得する。そして、そのレコードの予め設定された販売構成比分析期間内（日付１から日付６０までの中の任意の期間）の各販売数を商品販売数合計エリア４２を利用して合計する。また、日別商品販売数ファイル３２から当該商品と同一分類に属する商品のレコードを検索する。そして、該当するレコードを検出する毎に、そのレコードの上記分析期間内の各販売数を分類販売数合計エリア４３を利用して合計する。しかして、日別商品販売数ファイル３２に記憶されている全ての同一分類レコードについて分析期間内の販売数を合計したならば、発注支援演算処理部１１は、商品販売数合計エリア４２の値を分類販売数合計エリア４３の値で除算することにより、当該商品が同一分類に属する商品群のなかでどの程度販売されているかを示す販売構成比を算出し、販売構成比エリア４４にセットする（販売構成比算出手段）。
【００３１】
次に、発注支援演算処理部１１は、ＳＴ１７として当該商品の商品情報に含まれている欠品重要度パターンナンバーに対応する時間帯別欠陥重要度パターンのデータを設定テーブル１３から読み出す。そして、この時間帯別欠陥重要度パターンのデータを、当該商品の算出対象期間Ｎ１またはＮ２分の時間帯別演算テーブル４１にそれぞれセットする。
【００３２】
次に、発注支援演算処理部１１は、ＳＴ１８として時間帯別商品在庫数ファイル３３を検索して、当該商品の算出対象期間Ｎ１またはＮ２分の時間帯別在庫数データを読み出す。そして、これらの時間帯別在庫数データをそれぞれ該当する期間の時間帯別演算テーブル４１にセットする。
【００３３】
次に、発注支援演算処理部１１は、ＳＴ１９として算出対象期間Ｎ１またはＮ２で当該商品が欠品している時間帯を取得する。すなわち、算出対象期間Ｎ１またはＮ２分の時間帯別演算テーブル４１から在庫数が“０”の時間帯を欠品時間帯として取得する（欠品時間帯取得手段）。
【００３４】
次に、発注支援演算処理部１１は、ＳＴ２０として当該商品が欠品している時間帯の欠品重要度の合計値である欠品係数を算出する。すなわち、算出対象期間Ｎ１またはＮ２分の時間帯別演算テーブル４１から当該商品が欠品している時間帯の欠品重要度を全て取得し、これを合計して欠品係数を算出する（欠品係数算出手段）。
【００３５】
次に、発注支援演算処理部１１は、ＳＴ２１として上記欠品係数と販売構成比エリア４４に記憶されている当該商品の販売構成比とから当該商品が属する分類での欠品による損失度合いを示す欠品指数を算出する。欠品係数は、次式によって算出される。
【００３６】
欠品指数＝（欠品係数／算出対象期間［時間］）×（販売構成比／１０）×１００
しかる後、発注支援演算処理部１１は、ＳＴ２２として重要時間帯と非重要時間帯とがある商品が適正に発注されているか否かを判断するためのパラメータとして、上記欠品係数及び欠品指数を表示部２２に表示させて、この処理を終了する。
【００３７】
このように構成された本実施の形態の発注支援装置においては、欠品してはいけない重要時間帯と欠品してもよい非重要時間帯とがある商品について、重要時間帯にはレベル３若しくはそれに近い値を、非重要時間帯にはレベル０若しくはそれに近い値をそれぞれ割当てた時間帯別欠品重要度パターンのパターンナンバーを設定しておく。
【００３８】
例えば今、図９の２つの時間帯別演算テーブル４１−１，４１−２に示すように、時間帯６〜９，時間帯１１〜１４及び時間帯１９〜２３が重要時間帯であり、その中の時間帯７，時間帯８，時間帯１２，時間帯１３，時間帯２０及び時間帯２１が最重要時間帯であって、時間帯２，時間帯３，時間帯１６，時間帯１７が非重要時間帯である商品の発注支援業務を実行したとする。
【００３９】
このとき、当該商品の算出対象期間が“２”、販売構成比が“２０”であり、直前２日分の時間帯別在庫数が図９に示すとおりとすると、当該商品の欠品時間帯は、１日目に相当する第１の時間帯別演算テーブル４１−１では時間帯５〜８、時間帯１３〜１４及び時間帯２２〜２４であり、２日目に相当する第２の時間帯別演算テーブル４１−２では時間帯３〜８及び時間帯２３〜２４である。したがって、欠品係数は、各欠品時間帯の欠品重要度の総和「３２」となる。また、欠品指数は、次式により「１３３．３」となる。
【００４０】
欠品指数＝［３２／４８（２日間）］×［（２０／１０）×１００］＝１３３．３
その結果、表示部２２には、例えば図１０に示すように欠品係数「３２」と欠品指数「１３３．３」とを示す画面が表示される。
【００４１】
欠品係数は、例えば欠品時間は短いが重要時間帯に欠品していると数値が大きくなる。逆に、欠品時間は多いが非重要時間帯に欠品している場合には数値が小さくなる。また欠品指数は、当該商品の同一分類商品に対する販売構成比が高いと数値が大きくなり、販売構成比が小さいと数値が小さくなる。
【００４２】
そこで操作者は、経験的に定めた上限値及び下限値と表示部２２に表示された欠品係数とを比較し、欠品係数が上限値より大きければ当該商品に対する現時点の発注数が少ないと判断して発注数を増やす方向に調整し、下限値より小さければ当該商品に対する現時点の発注数が多いと判断して発注数を減らす方向に調整する。ただし、欠品係数が上限値より大きくても、欠品指数が規定値より小さい場合には、その商品は同一分類に属する商品の中で販売構成比が小さいので、増加する割合を小さくし、逆に、欠品係数が下限値より小さくても、欠品指数が規定値より大きい場合には、減少する割合を小さくする。このように、発注支援対象商品の発注数を欠品係数と欠品指数とから調整することによって、状況に応じた適正な発注数が得られるようになる。
【００４３】
なお、この発明は、上記実施形態そのままに限定されるものではなく、実施段階ではその要旨を逸脱しない範囲で構成要素を変形して具体化できる。例えば、前記実施の形態では、欠品重要度の値を０〜３の４段階としたが、本発明は、これに限定されるものではない。また、時間帯の間隔は１時間単位に限定されるものではなく、例えば２時間単位に区切って欠品重要度を設定してもよい。
【００４４】
また、前記実施の形態では、新商品の場合とそうでない場合とで算出対象期間を変更したが、必ずしも変更しなくてもよい。また、算出対象期間を販売構成比分析期間と一致させてもよい。
【００４５】
また、上記実施形態に開示されている複数の構成要素の適宜な組合せにより種々の発明を形成できる。また、実施形態に示される全構成要素からいくつかの構成要素を削除してもよい。例えば、前記実施の形態では、画面に欠品係数「３２」と欠品指数「１３３．３」とを示したが、いずれか一方を示すだけでもよい。また、当該商品の発注便情報やそのときの発注数などを表示するようにしてもよい。
【００４６】
【発明の効果】
以上詳述したように本発明によれば、重要時間帯と非重要時間帯とがある商品が適正に発注されているか否かを判断するためのパラメータを操作者に提供することができる発注支援装置及びコンピュータを当該発注支援装置として機能させるための発注支援プログラムを提供できる。
【図面の簡単な説明】
【図１】本発明の一実施の形態である発注支援装置の要部構成を示すブロック図。
【図２】同実施の形態における商品情報ファイルのレコードフォーマットを示す模式図。
【図３】同実施の形態における日別商品販売数ファイルのレコードフォーマットを示す模式図。
【図４】同実施の形態における時間帯別商品在庫数ファイルのレコードフォーマットを示す模式図。
【図５】同実施の形態における時間帯別欠品重要度パターン設定テーブルの一例を示す模式図。
【図６】同実施の形態においてワークエリアに形成される主要なメモリエリアを示す模式図。
【図７】同実施の形態における発注支援演算処理部が実行するパターン設定業務選択時の要部処理を示す流れ図。
【図８】同実施の形態における発注支援演算処理部が実行する発注支援業務選択時の要部処理を示す流れ図。
【図９】同実施の形態における時間帯別演算テーブルの一データ例を示す模式図。
【図１０】同実施の形態における表示部の一出力例を示す模式図。
【符号の説明】
１１…発注支援演算処理部、１２…発注支援プログラム記憶部、１３…時間帯別欠品重要度パターン設定テーブル、１４…ワークメモリ、１７…ファイル更新処理部、２１…操作部、２２…表示部、３１…商品情報ファイル、３２…日別商品販売数ファイル、３３…時間帯別商品在庫数ファイル。
【図１】
2004341937.tif 000003
【図２】
2004341937.tif 000004
【図３】
2004341937.tif 000005
【図４】
2004341937.tif 000006
【図５】
2004341937.tif 000007
【図６】
2004341937.tif 000008
【図７】
2004341937.tif 000009
【図８】
2004341937.tif 000010
【図９】
2004341937.tif 000011
【図１０】
2004341937.tif 000012